【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
入力される動画像の一つの対象とするフレーム画像またはフィールド画像を構成する複数のブロックの各々について、フレーム間またはフィールド間の画像の差分を用いる符号化方式によって該対象とするフレーム画像またはフィールド画像より前のフレーム画像またはフィールド画像の同位置のブロックの画像をコピーして復号するよう符号化されたブロックであるスキップブロックか、スキップブロックではない非スキップブロックか、の判定を行なう判定手段と、
前記対象とするフレーム画像またはフィールド画像内で非スキップブロックに隣接するスキップブロックの画像を、該スキップブロックに隣接する非スキップブロックの画像を用いて補正する補正手段と、
を備えることを特徴とする画像補正装置。
【請求項２】
前記補正手段は、前記スキップブロックに隣接する非スキップブロックの、前記スキップブロックとの境界から所定範囲内にある画素を用いて、該スキップブロックの画像を補正することを特徴とする請求項１に記載の画像補正装置。
【請求項３】
前記補正手段は、前記スキップブロックと、該スキップブロックに隣接する非スキップブロックと、の境界における画像がエッジである場合、該非スキップブロックの画像を用いた該スキップブロックの画像の補正は行なわないことを特徴とする請求項１または２に記載の画像補正装置。
【請求項４】
入力される動画像の一つの対象とするフレーム画像またはフィールド画像を構成する複数のブロックの各々について、フレーム間またはフィールド間の画像の差分を用いる符号化方式によって該対象とするフレーム画像またはフィールド画像より前のフレーム画像またはフィールド画像の同位置のブロックの画像をコピーして復号するよう符号化されたブロックであるスキップブロックか、スキップブロックではない非スキップブロックか、を判定する判定手段と、
前記対象とするフレーム画像またはフィールド画像内のスキップブロックであって、該対象とするフレーム画像またはフィールド画像の直前または直後の少なくともいずれかのフレーム画像またはフィールド画像において該スキップブロックと同位置にあるブロックが非スキップブロックであるスキップブロックの画像を、該非スキップブロックの画像を
用いて補正する補正手段と、
を備えることを特徴とする画像補正装置。
【請求項５】
前記符号化方式による符号化データを入力する入力手段を備え、
前記判定手段は、前記入力手段から入力される符号化データに含まれるスキップブロック識別情報を用いて、前記ブロックがスキップブロックか非スキップブロックかの判定を行なうことを特徴とする請求項１乃至４のいずれか１項に記載の画像補正装置。
【請求項６】
前記判定手段は、入力される動画像の前記対象とするフレーム画像またはフィールド画像を構成する複数のブロックのうちの或るブロックと、該対象とするフレーム画像またはフィールド画像より前のフレーム画像またはフィールド画像において該ブロックと同位置にあるブロックと、の間で、ブロック内で同位置にある画素どうしで画素値を比較し、該ブロックを構成する全ての画素について、該画素値が等しい場合に、該或るブロックはスキップブロックであると判定し、他の場合には、該或るブロックは非スキップブロックであると判定することを特徴とする請求項１乃至４のいずれか１項に記載の画像補正装置。
【請求項７】
動画像を入力する工程と、
前記入力される動画像の１つの対象とするフレーム画像またはフィールド画像を構成する複数のブロックの各々について、フレーム間またはフィールド間の画像の差分を用いる符号化方式によって該対象とするフレーム画像またはフィールド画像より前のフレーム画像またはフィールド画像の同位置のブロックの画像をコピーして復号するよう符号化されたブロックであるスキップブロックか、スキップブロックではない非スキップブロックか、の判定を行なう判定工程と、
前記対象とするフレーム画像またはフィールド画像内で非スキップブロックに隣接するスキップブロックの画像を、該スキップブロックに隣接する非スキップブロックの画像を用いて補正する補正工程と、
を有することを特徴とする画像補正方法。
【請求項８】
前記補正工程では、前記スキップブロックに隣接する非スキップブロックの、前記スキップブロックとの境界から所定範囲内にある画素を用いて、該スキップブロックの画像を補正することを特徴とする請求項７に記載の画像補正方法。
【請求項９】
前記補正工程では、前記スキップブロックと、該スキップブロックに隣接する非スキップブロックと、の境界における画像がエッジである場合、該非スキップブロックの画像を用いた該スキップブロックの画像の補正は行なわないことを特徴とする請求項７または８に記載の画像補正方法。
【請求項１０】
入力される動画像の一つの対象とするフレーム画像またはフィールド画像を構成する複数のブロックの各々について、フレーム間またはフィールド間の画像の差分を用いる符号化方式によって該対象とするフレーム画像またはフィールド画像より前のフレーム画像またはフィールド画像の同位置のブロックの画像をコピーして復号するよう符号化されたブロックであるスキップブロックか、スキップブロックではない非スキップブロックか、を判定する判定工程と、
前記対象とするフレーム画像またはフィールド画像内のスキップブロックであって、該対象とするフレーム画像またはフィールド画像の直前または直後の少なくともいずれかのフレーム画像またはフィールド画像において該スキップブロックと同位置にあるブロックが非スキップブロックであるスキップブロックの画像を、該非スキップブロックの画像を用いて補正する補正工程と、
を有することを特徴とする画像補正方法。
【請求項１１】
前記符号化方式による符号化データを入力する入力工程を有し、
前記判定工程では、前記入力工程で入力される符号化データに含まれるスキップブロック識別情報を用いて、前記ブロックがスキップブロックか非スキップブロックかの判定を行なうことを特徴とする請求項７乃至１０のいずれか１項に記載の画像補正方法。
【請求項１２】
前記判定工程では、入力される動画像の前記対象とするフレーム画像またはフィールド画像を構成する複数のブロックのうちの或るブロックと、該対象とするフレーム画像またはフィールド画像より前のフレーム画像またはフィールド画像において該ブロックと同位置にあるブロックと、の間で、ブロック内で同位置にある画素どうしで画素値を比較し、該ブロックを構成する全ての画素について、該画素値が等しい場合に、該或るブロックはスキップブロックであると判定し、他の場合には、該或るブロックは非スキップブロックであると判定することを特徴とする請求項７乃至１０のいずれか１項に記載の画像補正方法。
【手続補正２】
【補正対象書類名】明細書
【補正対象項目名】０００９
【補正方法】変更
【補正の内容】
【０００９】
本発明の画像補正装置は、
入力される動画像の一つの対象とするフレーム画像またはフィールド画像を構成する複数のブロックの各々について、フレーム間またはフィールド間の画像の差分を用いる符号化方式によって該対象とするフレーム画像またはフィールド画像より前のフレーム画像またはフィールド画像の同位置のブロックの画像をコピーして復号するよう符号化されたブロックであるスキップブロックか、スキップブロックではない非スキップブロックか、の判定を行なう判定手段と、
前記対象とするフレーム画像またはフィールド画像内で非スキップブロックに隣接するスキップブロックの画像を、該スキップブロックに隣接する非スキップブロックの画像を用いて補正する補正手段と、
を備えることを特徴とする。
【手続補正３】
【補正対象書類名】明細書
【補正対象項目名】００１１
【補正方法】変更
【補正の内容】
【００１１】
本発明の画像補正方法は、
動画像を入力する工程と、
前記入力される動画像の１つの対象とするフレーム画像またはフィールド画像を構成する複数のブロックの各々について、フレーム間またはフィールド間の画像の差分を用いる符号化方式によって該対象とするフレーム画像またはフィールド画像より前のフレーム画像またはフィールド画像の同位置のブロックの画像をコピーして復号するよう符号化されたブロックであるスキップブロックか、スキップブロックではない非スキップブロックか、の判定を行なう判定工程と、
前記対象とするフレーム画像またはフィールド画像内で非スキップブロックに隣接するスキップブロックの画像を、該スキップブロックに隣接する非スキップブロックの画像を用いて補正する補正工程と、
を有することを特徴とする。